(57)【要約】【課題】照光機能付き可動接点体に関し、漏光を抑え照光品質が良好なものを提供することを目的とする。【解決手段】下面の粘着剤２で可動接点３を粘着保持したベースシート１上に導光シート２１が重ねられ、回路基板１１に装着される際に、その導光シート２１は、発光素子１４の実装位置に対応する位置に設けられたベースシート１の切欠き部１Ａを覆うように大きさ設定がされていると共に、上記切欠き部１Ａの奥側位置に対応する導光シート２１の位置に、所定の長さで切断部分に隙間のないスリット２２が設けられ、導光シート２１のスリット２２より外方の縁部で発光素子１４の上方を覆うと共に、そのスリット２２の内方側の切断面を発光素子１４からの入光部２１Ｂにした。【選択図】図１
2011129340.tif 000002
【特許請求の範囲】
【請求項１】
上方凸形のドーム状をした可動接点と、この可動接点を下面の粘着剤で粘着保持したベースシートと、このベースシート上面に配された透光性を有した導光シートを備えて、発光素子を実装した回路基板上に装着されて用いられる照光機能付き可動接点体であって、上記導光シートの外形は、上記発光素子が実装される位置を含む大きさに形成され、その外形端部から内方側に所定距離離れた位置に切断隙間のないスリットが設けられており、上記回路基板への装着時に、上記導光シートの上記スリットから外方側の縁部が撓められて上記発光素子の上方を覆うように装着され、上記導光シートのスリットの内方側の切断面が上記発光素子の発光部に対向した入光部になされることを特徴とする照光機能付き可動接点体。
【請求項２】
ベースシートの切欠き部がなくされ、かつ発光素子が実装される位置に対応する外形縁部が導光シートの外形と同じ形状になされ、上記ベースシートにも上記導光シートと同じ位置に切断隙間のないスリットが設けられており、回路基板上への装着時に、上記導光シートと上記ベースシートそれぞれの上記スリットから外方側に位置する縁部が一体となって上記発光素子の上方を覆って装着されることを特徴とする請求項１記載の照光機能付き可動接点体。
【請求項３】
上方凸形のドーム状をした可動接点と、この可動接点を下面の粘着剤で粘着保持したベースシートと、このベースシート上面に配された透光性を有した導光シートを備えて、発光素子を実装した回路基板上に装着されて用いられる照光機能付き可動接点体であって、上記導光シートは、上記発光素子が実装される位置を避けて外形端部が形成され、かつ上記ベースシートの外形が、上記発光素子が実装される位置を含む大きさに形成されていると共に、上記ベースシートにおいて、上記導光シートの外形端部位置に応じて、もしくはそれに近接した外方位置に切断隙間のないスリットが設けられており、上記回路基板への装着時に、上記スリットから外方側の上記ベースシートの縁部が撓められて上記発光素子の上方を覆うように装着され、上記導光シートの外形端部の端面が上記発光素子の発光部に対向した入光部になされることを特徴とする照光機能付き可動接点体。
【発明の詳細な説明】
【技術分野】
【０００１】
本発明は、携帯電話機等の入力操作部に用いられる照光機能付き可動接点体に関するものである。
【背景技術】
【０００２】
携帯電話機等の入力操作部には、操作時に軽快な節度感触が得られると共に、薄型化、軽量化が図れることで、シート下面にドーム状の金属可動接点を粘着保持した、所謂可動接点体を、固定接点が設けられた回路基板上に粘着して構成したパネルスイッチが多く採用されている。また、近年では、この可動接点体に照光機能を備えた照光機能付き可動接点体も増加している。
【０００３】
このような従来の照光機能付き可動接点体について、図８〜図１１を用いて説明する。
【０００４】
図８は従来の照光機能付き可動接点体の外観図、図９は同分解斜視図、図１０は同要部断面図であり、同図において、１は下面に粘着剤２を備え、所定の外形に形成された可撓性を有した絶縁フィルムからなるベースシートで、後述する発光素子１４の配置位置に対応して外形の所定位置に略コの字状の切欠き部１Ａが設けられている。そして、下面の粘着剤２で所定位置に上方凸形の円形ドーム状をした弾性金属薄板からなる可動接点３の上面を粘着保持している。
【０００５】
４は可撓性を有した透光性の導光シートで、上記ベースシート１と同形状で同じ位置に切欠き部４Ａが形成されていると共に、上面の所定位置に照光部４Ｂが設けられている。この導光シート４は、粘着剤５を介してベースシート１上面を覆うようにしてベースシート１に粘着固定されており、これらで照光機能付き可動接点体が構成されている。
【０００６】
なお、この照光機能付き可動接点体は、保管や搬送に際しては、ベースシート１下面の粘着剤２や可動接点３下面への異物付着を防止するため、剥離紙や樹脂フィルムなどからなる図示しないセパレータをベースシート１の粘着剤２で下面全面に粘着しておき、搭載する電子機器の回路基板１１に装着する際には、セパレータを剥がして装着される。
【０００７】
以上のように構成された従来の照光機能付き可動接点体において、電子機器に搭載された状態の図を用いて、その動作を説明する。
【０００８】
図１１は電子機器に搭載された状態の要部断面図であり、同図において、１１は、その上面に、対となる中央固定接点１２と外側固定接点１３が複数対配設されている回路基板である。さらに、回路基板１１の上面側には発光素子１４が半田付け実装されており、その発光部１４Ａは回路基板１１面に沿う方向に向いている。
【０００９】
この回路基板１１上に、対となった固定接点１２，１３位置に可動接点３を対応させて照光機能付き可動接点体がベースシート１下面の粘着剤２で装着されており、可動接点３の外周下端が外側固定接点１３上に載り、ドーム状の中央部下面が中央固定接点１２と間隔をあけて対向している。
【００１０】
また、ベースシート１および導光シート４の切欠き部１Ａ，４Ａ内に発光素子１４が位置するように装着されて、導光シート４の切欠き部４Ａの奥側端面が発光素子１４の発光部１４Ａに近接した入光部４Ｃになされている。
【００１１】
１５は可動接点３の位置に対応した導光シート４の上方位置に上下移動可能に配された透光性を備えた操作ボタンで、電子機器のパネルケース１６のボタン孔からその操作部１５Ａを上方に突出させている。
【００１２】
このように搭載された照光機能付き可動接点体において、操作ボタン１５に押圧力を加えると、導光シート４およびベースシート１を介して可動接点３の中央部に押圧力が加えられ、その押圧力が所定の大きさを超えると可動接点３が節度感を伴って弾性反転し、中央部下面が中央固定接点１２に接触する。これにより可動接点３を介して外側固定接点１３と中央固定接点１２との間が電気的に導通し、スイッチオンとなる。
【００１３】
そして、操作ボタン１５に加えていた押圧力を解除すると、可動接点３が節度感を伴って自身の弾性力で上方凸形に弾性復帰し、中央部下面が中央固定接点１２から離れて外側固定接点１３と中央固定接点１２との間が絶縁状態となり、スイッチオフとなる。
【００１４】
また、発光素子１４が発光部１４Ａから発した光は、装着状態でこの発光部１４Ａに近接した導光シート４の入光部４Ｃから導光シート４の基材内に入射され、導光シート４の基材内を伝搬した光は照光部４Ｂで反射して操作ボタン１５の底面を照射して、パネルケース１６上面に露出した操作ボタン１５が照光するようになされているものであった。
【００１５】
なお、この出願の発明に関連する先行技術文献情報としては、例えば、特許文献１が知られている。
【先行技術文献】
【特許文献】
【００１６】
【特許文献１】特開２００８−１８１８６２号公報
【発明の概要】
【発明が解決しようとする課題】
【００１７】
しかしながら、上記従来の照光機能付き可動接点体においては、導光シート４の端面を入光部４Ｃとして発光素子１４の発光部１４Ａに近接させた状態に装着しているが、発光素子１４および導光シート４の上方が開放状態となっているため、発光部１４Ａからの光が導光シート４の上方に漏光して、不所望箇所が照光されたり入光部から遠い操作ボタン１５の照光不足が生じたりするという課題があった。
【００１８】
本発明は、このような従来の課題を解決するものであり、漏光を抑え照光品質が良好な照光機能付き可動接点体を提供することを目的とする。
【課題を解決するための手段】
【００１９】
上記目的を達成するために本発明は、以下の構成を有する。
【００２０】
本発明は、上方凸形のドーム状をした可動接点と、この可動接点を下面の粘着剤で粘着保持したベースシートと、このベースシート上面に配された透光性を有した導光シートを備えて、発光素子を実装した回路基板上に装着されて用いられる照光機能付き可動接点体であって、上記導光シートの外形は、上記発光素子が実装される位置を含む大きさに形成され、その外形端部から内方側に所定距離離れた位置に切断隙間のないスリットが設けられており、上記回路基板への装着時に、上記導光シートの上記スリットから外方側の縁部が撓められて上記発光素子の上方を覆うように装着され、上記導光シートのスリットの内方側の切断面が上記発光素子の発光部に対向した入光部になされることを特徴とする照光機能付き可動接点体としたものであり、導光シートのスリットから外方側に位置した縁部で発光素子の上方を覆い、スリット切断面どうしで生じる隙間のみにできるので、新たな部材を用いることなく発光素子からの光の漏光が抑えられ、照光品質が良好な照光機能付き可動接点体を提供することができるという作用を有する。
【００２１】
または、本発明は、上方凸形のドーム状をした可動接点と、この可動接点を下面の粘着剤で粘着保持したベースシートと、このベースシート上面に配された透光性を有した導光シートを備えて、発光素子を実装した回路基板上に装着されて用いられる照光機能付き可動接点体であって、上記導光シートは、上記発光素子が実装される位置を避けて外形端部が形成され、かつ上記ベースシートの外形が、上記発光素子が実装される位置を含む大きさに形成されていると共に、上記ベースシートにおいて、上記導光シートの外形端部位置に応じて、もしくはそれに近接した外方位置に切断隙間のないスリットが設けられており、上記回路基板への装着時に、上記スリットから外方側の上記ベースシートの縁部が撓められて上記発光素子の上方を覆うように装着され、上記導光シートの外形端部の端面が上記発光素子の発光部に対向した入光部になされることを特徴とする照光機能付き可動接点体としたものであり、導光シートの下方に位置するベースシートにおいて、スリット位置から外方側の縁部を上方に撓ませて発光素子の上面を覆うようにしたので、上述構成のものと同様に新たな部材を用いることなく発光素子からの光の漏光が抑えられ、照光品質が良好な照光機能付き可動接点体を提供することができるという作用を有する。
【発明の効果】
【００２２】
以上のように本発明によれば、導光シート上方への漏光が抑えられ、照光品質が良好な照光機能付き可動接点体を実現することができるという有利な効果が得られる。
【図面の簡単な説明】
【００２３】
【図１】本発明の第１の実施の形態による照光機能付き可動接点体の外観図
【図２】同分解斜視図
【図３】同要部断面図
【図４】電子機器に搭載した状態の要部断面図
【図５】本発明の第２の実施の形態による照光機能付き可動接点体を電子機器に搭載した状態の要部断面図
【図６】本発明の第３の実施の形態による照光機能付き可動接点体を電子機器に搭載した状態の要部断面図
【図７】漏光防止テープを備えた形態の照光機能付き可動接点体の外観図
【図８】従来の照光機能付き可動接点体の外観図
【図９】同分解斜視図
【図１０】同要部断面図
【図１１】電子機器に搭載された状態の要部断面図
【発明を実施するための形態】
【００２４】
以下、本発明の実施の形態について、図１〜図７を用いて説明する。なお、従来の技術の項で説明した構成と同一構成の部分には同一符号を付して、詳細な説明を簡略化する。
【００２５】
（実施の形態１）
図１は本発明の第１の実施の形態による照光機能付き可動接点体の外観図、図２は同分解斜視図、図３は同要部断面図であり、同図において、１は下面に粘着剤２を備え、所定の外形に形成されたＰＥＴフィルム等からなる可撓性を有したベースシートで、後述する回路基板１１に装着される際に発光素子１４が実装される位置となる外形の所定位置毎に略コの字状の切欠き部１Ａが設けられていると共に、下面の粘着剤２で所定位置に上方凸形の円形ドーム状をしたステンレス等の弾性金属薄板からなる可動接点３の上面を粘着保持している。そして、上面の所定位置に照光部２１Ａが設けられた可撓性を有した透光性の導光シート２１がこのベースシート１上に重ねられ、粘着剤５を介して両者が粘着固定されていることは従来のものと同様である。
【００２６】
本発明のものは、導光シート２１の外形が異なり、かつスリット２２が設けられていることが異なっている。
【００２７】
その外形の異なる部分の詳細は、後述する回路基板１１に装着された状態で発光素子１４の実装位置に対応する位置において、ベースシート１の切欠き部１Ａを覆うように導光シート２１の外形の大きさを設定しており、その下面部分にも粘着剤５が設けられている。
【００２８】
なお、ベースシート１の切欠き部１Ａを覆う位置の導光シート２１の縁部下面は粘着剤５が設けられていない非粘着部分とされていても良いが、粘着剤５が設けられている方が後述する発光素子１４の上面に密着状態に粘着できるので好ましい。
【００２９】
そして、導光シート２１の縁部で、ベースシート１の切欠き部１Ａの奥側位置に対応する位置に、ベースシート１の切欠き部１Ａの幅と同じかそれより長めの所定の長さでスリット２２が設けられている。このスリット２２は、導光シート２１の外形端面に沿って、切断部分に隙間のない直線状に形成されており、ベースシート１の２ヶ所の切欠き部１Ａの位置に応じて導光シート２１の２ヶ所に設けられている。
【００３０】
なお、スリット２２位置を分かりやすくするために、図１〜図３では、スリット２２から外方側となる導光シート２１の縁部を僅かに浮かせた状態で図示している。
【００３１】
そして、当該構成のものも従来のものと同様に、保管や搬送に際しては、剥離紙や樹脂フィルムなどからなる図示しないセパレータをベースシート１の粘着剤２で下面全面に粘着しておき、電子機器の回路基板１１に装着する際には、セパレータを剥がして装着される。
【００３２】
以上のように構成された本実施の形態の照光機能付き可動接点体において、電子機器に搭載された状態の図を用いて、その動作を説明する。
【００３３】
図４は電子機器に搭載された状態の要部断面図であり、同図において、従来と同じく、１１は上面に対となる中央固定接点１２と外側固定接点１３が複数対配設された回路基板で、回路基板１１の上面側には発光素子１４が半田付け実装されて、その発光部１４Ａは回路基板１１面に沿う方向に向いている。
【００３４】
この回路基板１１上に照光機能付き可動接点体がベースシート１下面の粘着剤２で粘着されて装着されており、可動接点３の外周下端が外側固定接点１３上に載り、ドーム状の中央部下面が中央固定接点１２と間隔をあけて対向している。そして、ベースシート１の切欠き部１Ａ内に発光素子１４が位置するように装着され、導光シート２１のスリット２２から外方側の縁部が上方に撓められて発光素子１４上面を覆った状態になされ、スリット２２の内方側の切断面が入光部２１Ｂとして発光素子１４の発光部１４Ａに近接した対向状態に装着されている。
【００３５】
なお、スリット２２の長さ設定は、導光シート２１のスリット２２位置から外方側の縁部が発光素子１４の上面を覆うように撓められて装着された際に、撓められた部分を除く導光シート２１の外周部などがベースシート１から浮き上がらないように十分な長さにしておくことが重要である。なお、スリット２２外方側の縁部範囲が円弧状となる曲げ加工を施しておくなどしておくと好ましい。
【００３６】
１５は可動接点３の位置に対応した導光シート２１の上方位置に上下移動可能に配された透光性を備えた操作ボタンで、電子機器のパネルケース１６のボタン孔からその操作部１５Ａを上方に突出させている。
【００３７】
このように搭載された照光機能付き可動接点体は、可動接点３位置に対応した操作ボタン１５に押圧力を加えると、導光シート２１およびベースシート１を介して可動接点３の中央部に押圧力が加えられて、可動接点３が節度感を伴って弾性反転し、ドーム状中央部下面が中央固定接点１２に接触して外側固定接点１３と中央固定接点１２との間が電気的に導通し、スイッチオンとなる。
【００３８】
そして、操作ボタン１５に加えていた押圧力を解除すると、可動接点３が節度感を伴って元の上方凸形に弾性復帰し、その復帰力で操作ボタン１５が元の位置に押し戻されると共に、ドーム状中央部下面が中央固定接点１２から離れて、スイッチオフとなる。
【００３９】
一方、発光素子１４が発光部１４Ａから発した光は、この発光部１４Ａに近接状態で対向した導光シート２１のスリット２２切断面である入光部２１Ｂから導光シート２１の基材内に入射し、導光シート２１の基材内を伝搬した光は照光部２１Ａで反射して操作ボタン１５の底面を照射して、パネルケース１６上面に露出した操作ボタン１５が照光するようになされている。
【００４０】
ここで、導光シート２１のスリット２２切断面である入光部２１Ｂと発光部１４Ａとの間隔が従来と同様の間隔であっても、発光部１４Ａからの光は発光素子１４の上面を覆った導光シート２１の縁部が庇状ともなって、かつスリット２２の切断面どうしで生じる僅かな隙間のみとなるため、導光シート２１の上方への漏光が抑えられ、発光部１４Ａからの光が導光シート２１内に効率よく入射される。
【００４１】
また、導光シート２１基材となる素材厚みを厚くすれば、発光素子１４の発光部１４Ａに対向する入光部２１Ｂの面積を大きくできて、入光部２１Ｂに対するスリット２２の切断面どうしで生じる僅かな隙間の比率を小さくすることができるため、可能な範囲で導光シート２１を厚い素材で構成すると好ましい。
【００４２】
このように本実施の形態によれば、ベースシート１の切欠き部１Ａの奥側端面に対応させて設けた導光シート２１の切断隙間のないスリット２２により、スリット２２から外方側に位置した導光シート２１の縁部が発光素子１４上面を覆って、発光素子１４の光の漏光がスリット２２の切断面部分で生じる僅かな隙間のみにできるため、新たな部材を用いることなく、不所望箇所の照光や入光部２１Ｂから遠い操作ボタン１５の照光不足が抑えられ、照光品質が良好な照光機能付き可動接点体を提供することができる。
【００４３】
なお、導光シート２１にスリット２２を設ける位置は下側のベースシート１外形端面位置と同じか、その位置より外方側であると、スリット２２切断面である入光部２１Ｂを発光素子１４の発光部１４Ａに近接させて対向できるので好ましい。
【００４４】
また、切欠き部が設けられていないベースシートの外形端面位置に発光素子１４が実装して配置されたものでは、同様の思想で、導光シート２１の縁部で発光素子１４上を覆うようにすると共に、その縁部に繋がる側方部分を回路基板１１上に直接粘着させればよい。
【００４５】
（実施の形態２）
次に、実施の形態２について説明する。なお、実施の形態１の構成と同一構成の部分には同一符号を付して、詳細な説明を省略する。
【００４６】
図５は本発明の第２の実施の形態による照光機能付き可動接点体を搭載した電子機器の要部断面図であり、同図において、上述の実施の形態１と異なる構成部分は、ベースシート３１に切欠き部が設けられてなくて導光シート２１の外形と同じ外形とされている、つまり、ベースシート３１も、電子機器の回路基板１１に装着される際に、発光素子１４が実装して配置される位置を含む大きさに形成されており、かつ導光シート２１に設けられている切断隙間のないスリット２２に合わせて、同じ位置、同じ長さで切断隙間のないスリット３２がベースシート３１にも設けられているところである。
【００４７】
図５に示したように、回路基板１１上に装着された当該照光機能付き可動接点体は、導光シート２１とベースシート３１に設けられたスリット２２，３２から外方側のそれぞれの縁部が、スリット２２，３２の長さに応じた部分でそれぞれ上方に撓み、回路基板１１上に実装された発光素子１４の上面に重なって覆っており、導光シート２１のスリット２２位置から内方側はベースシート３１上に粘着され、ベースシート３１のスリット３２位置から内方側は回路基板１１上に下面の粘着剤２で粘着されて装着されている。そして、導光シート２１とベースシート３１のスリット２２，３２切断面が発光素子１４の発光部１４Ａと対向状態となされ、導光シート２１のスリット２２の内方側の切断面が入光部２１Ｂとなっており、発光部１４Ａからの光が導光シート２１の入光部２１Ｂから内部に入射され、導光シート２１の照光部２１Ａによって反射した光が操作ボタン１５を下方から照射し、パネルケース１６から突出した操作部１５Ａが照光する。なお、ベースシート３１のスリット３２位置から外方側の縁部を、発光素子１４上に下面の粘着剤２で粘着固定させておくと好ましいことは実施の形態１の場合と同じである。
【００４８】
ここで、当該構成のものも、導光シート２１とベースシート３１のスリット２２，３２位置から外方側の縁部が発光素子１４の上面を覆って庇状ともなって、かつ切断隙間のないスリット２２，３２によって、スリット２２，３２の切断面どうしの相対的な上下方向の移動で生じる僅かな隙間のみに抑えることができるため、発光素子１４からの光の導光シート２１上方への漏光を抑え、照光不足や不所望箇所の照光を低減することができる。
【００４９】
このように本実施の形態であっても、照光品質が良好な照光機能付き可動接点体を得ることができる。なお、ベースシート３１に設けるスリット３２を導光シート２１のスリット２２と同じ位置、同じ長さで設けるには、導光シート２１をベースシート３１上に組み合わせる前でも組み合わせた後のいずれでもスリット加工で設けることができる。すなわち、スリット加工を入れるための工程設計的には自由度を有し適宜決定すればよい。なお、導光シート２１をベースシート３１上に組み合わせた後にスリット加工を施すようにすると、一度の切断加工で同時にスリット２２，３２を設けることができるため、より好ましい。
【００５０】
（実施の形態３）
次に、実施の形態３について説明する。なお、実施の形態１や２の構成と同一構成の部分には同一符号を付して、詳細な説明を省略する。
【００５１】
図６は本発明の第３の実施の形態による照光機能付き可動接点体を搭載した電子機器の要部断面図であり、同図において、上述の実施の形態１のものと異なるところは、実施の形態１のベースシート１の切欠き部１Ａに換わって、導光シート４１に発光素子１４の位置に対応して切欠き部４１Ａが設けられ、かつスリットが設けられていないことと、ベースシート３１の外形が発光素子１４の実装位置を含む範囲まで大きくなされ、ベースシート３１において導光シート４１の切欠き部４１Ａの奥側位置に対応する位置に切断隙間のない直線状のスリット３２が設けられていることである。つまり、実施の形態１の導光シートとベースシートの関係に対して、スリットと切欠き部がそれぞれ逆の位置関係で形成されたものとしている。
【００５２】
そして、図６に示すように、回路基板１１上に装着された当該照光機能付き可動接点体は、ベースシート３１に設けられた切断隙間のないスリット３２から外方側の縁部がスリット３２の長さの範囲で上方に撓められて、回路基板１１上に実装された発光素子１４の上面を覆っており、スリット３２位置から内方側はベースシート３１下面の粘着剤２で粘着されて回路基板１１上に装着されている。そして、導光シート４１の端部となる切欠き部４１Ａの奥側端面が発光素子１４の発光部１４Ａと対向状態の入光部４１Ｃとなされて、発光部１４Ａからの光が導光シート４１内に入射され、導光シート４１の照光部４１Ｂで反射した光が操作ボタン１５を下方から照射し、パネルケース１６から突出した操作部１５Ａが照光する。なお、導光シート４１の入光部４１Ｃを切欠き部４１Ａの奥側端面とする構成のため、ベースシート３１のスリット３２は、導光シート４１の外形端部となる切欠き部４１Ａの奥側端面と同じ位置、もしくは切欠き部４１Ａ内のそれに近接した外方位置に設けるとよい。
【００５３】
そして、当該構成でも、発光素子１４の上面をベースシート３１のスリット３２位置から外方側の縁部が覆って庇状ともなっており、発光部１４Ａからの光が導光シート４１上方に漏光する箇所は、発光素子１４の上面を覆ったベースシート３１のスリット３２切断面と導光シート４１の切欠き部４１Ａの奥側の端面との間で生じる僅かな隙間のみに抑えることができるため、漏光が少なく照光不足を軽減することができる。
【００５４】
このように本実施の形態では、ベースシート３１上方の導光シート４１に切欠き部４１Ａを設け、その切欠き部４１Ａ内の下方に位置するベースシート３１において、スリット３２位置から外方側の縁部で発光素子１４の上面を覆うようにしている。これであっても、導光シート４１の切欠き部４１Ａ奥側端部とベースシート３１のスリット３２切断面との間に生じる僅かな隙間のものにできるため、新たな部材を用いることなく発光素子１４からの光の漏光を抑え、照光品質が良好な照光機能付き可動接点体を提供することができる。
【００５５】
なお、導光シート４１の切欠き部４１Ａは必ずしも必要ではなく、少なくとも切欠き部４１Ａの奥側端面に相当する位置が導光シート４１の端部端面であれば良い。
【００５６】
以上の実施の形態１〜３では、導光シート２１、ベースシート３２に切断隙間のないスリット２２，３２を設けた形態の導光機能付き可動接点体について説明したが、その他の構成として、図７の外観図に示した漏光防止テープを備えた形態の照光機能付き可動接点体の構成にしても良い。
【００５７】
図７に示したように、当該構成のものは、所定の外形に形成されて下面に可動接点３を備えたベースシート１と、そのベースシート１と同じ外形に形成され可動接点３に対応した上面位置に照光部４Ｂを設けた導光シート４が組み合わされて構成されている点では従来のものと同様であるが、従来のものと異なるところは、漏光防止テープとして黒色小片の粘着テープ５１が導光シート４の切欠き部４Ａを覆って上面に粘着されていることである。
【００５８】
これであっても、図示はしないが、電子機器の回路基板１１に装着される際に、発光素子１４が実装されて位置している切欠き部１Ａ，４Ａの上面を粘着テープ５１で覆うと共に、その粘着テープ５１が発光素子１４の上面にも粘着されて装着できるため、発光素子１４の光が導光シート４の上方に漏れることがなく照光ロスの少ない照光品質が良好な照光機能付き可動接点体が得られる。
【００５９】
なお、以上のいずれの形態でも、導光シートにおいて照光部を上面側に設けた例で説明したが、上記照光部は導光シートの下面側に設けられていてもよい。
【産業上の利用可能性】
【００６０】
本発明による照光機能付き可動接点体は、漏光を抑え照光品質が良好なものにでき、主に携帯電話機等の入力操作部等に有用である。
【符号の説明】
【００６１】
１，３１  ベースシート
１Ａ，４Ａ，４１Ａ  切欠き部
２，５  粘着剤
３  可動接点
４，２１，４１  導光シート
４Ｂ，２１Ａ，４１Ｂ  照光部
４Ｃ，２１Ｂ，４１Ｃ  入光部
１１  回路基板
１２  中央固定接点
１３  外側固定接点
１４  発光素子
１４Ａ  発光部
１５  操作ボタン
１５Ａ  操作部
１６  パネルケース
２２，３２  スリット
５１  粘着テープ
【図１】
2011129340.tif 000003
【図２】
2011129340.tif 000004
【図３】
2011129340.tif 000005
【図４】
2011129340.tif 000006
【図５】
2011129340.tif 000007
【図６】
2011129340.tif 000008
【図７】
2011129340.tif 000009
【図８】
2011129340.tif 000010
【図９】
2011129340.tif 000011
【図１０】
2011129340.tif 000012
【図１１】
2011129340.tif 000013